(57)【要約】【課題】ロータの回転を少なくしつつ、リール本体とロータとの隙間からリール本体の内部構造に水分等が侵入することを抑えることにある。【解決手段】スピニングリール１００は、リール本体２と、ロータ４と、シール構造２０と、を備える。リール本体２は、フランジ部２ｂを有する。ロータ４は、回転軸心Ｏを中心にリール本体２に対して回転可能である。ロータ４は、リール本体２のフランジ部２ｂと隙間を隔てて設けられた開口部４ｄを後部に有する。シール構造２０は、フランジ部２ｂとロータ４の開口部４ｄとの隙間をシールする。シール構造２０は、ロータ４に一体回転可能かつフランジ部２ｂと隙間を隔てて設けられた障壁部材２１と、第１凸部２２と、を有する。障壁部材２１は、フランジ部２ｂの前方に配置された壁部２１ｃを有する。第１凸部２２は、壁部２１ｃ及びフランジ部２ｂの一方から壁部２１ｃ及びフランジ部２ｂの他方に向かって突出する。【選択図】図２
2019115285.tif 000002
【特許請求の範囲】
【請求項１】
前方に釣り糸を繰り出し可能な釣り用リールであって、
フランジ部を有するリール本体と、
回転軸心を中心に前記リール本体に対して回転可能であり、後部に前記リール本体の前記フランジ部と隙間を隔てて設けられた開口部を有するロータと、
前記ロータに一体回転可能かつ前記リール本体の前記フランジ部と隙間を隔てて設けられた障壁部材、及び第１凸部、を有し、前記リール本体の前記フランジ部と前記ロータの前記開口部との隙間をシールするためのシール構造と、
を備え、
前記障壁部材は、前記フランジ部の前方に配置された壁部を有し、
前記第１凸部は、前記壁部及び前記フランジ部の一方から前記壁部及び前記フランジ部の他方に向かって突出する、
釣り用リール。
【請求項２】
前記第１凸部は円環状に形成されている、
請求項１に記載の釣り用リール。
【請求項３】
前記シール構造は、前記壁部及び前記フランジ部の他方から前記壁部及び前記フランジ部の一方に向かって突出する円環状の第２凸部をさらに有し、
前記第１凸部及び前記第２凸部は、前記回転軸心を中心とする同心円状に形成され、前記回転軸心からの距離が互いに異なる、
請求項２に記載の釣り用リール。
【請求項４】
前記シール構造は、前記壁部及び前記フランジ部の他方に設けられた凹部をさらに有し、
前記凹部は、前記第１凸部の先端を収容可能である、
請求項２に記載の両釣り用リール。
【請求項５】
前記第１凸部は、前記リール本体の前記フランジ部の外縁から前記障壁部材の前記壁部に向かって突出する、
請求項２から４のいずれか１項に記載の釣り用リール。
【請求項６】
前記リール本体の前記フランジ部及び前記障壁部材の少なくとも一方は、撥水処理が施されている、
請求項２から５のいずれか１項に記載の釣り用リール。
【請求項７】
前記ロータの前記開口部の内径は、前記リール本体の前記フランジ部の外径よりも大きい、
請求項１から６のいずれか１項に記載の釣り用リール。
【発明の詳細な説明】
【技術分野】
【０００１】
本発明は、釣り用リールに関する。
【背景技術】
【０００２】
釣り用リール、特に、スピニングリールでは、リール本体に回転可能に設けられたロータが回転してスプールに釣り糸が巻き付けられる構造であるために、リール本体とロータに設けられた開口部との間に隙間が存在する。例えば特許文献１に記載されたスピニングリールには、この隙間をシールするための防水装置が設けられている。防水装置は、リール本体及びロータの一方に固定したパッキングによって、リール本体の内部構造に水分等が侵入することを抑えている。
【先行技術文献】
【特許文献】
【０００３】
【特許文献１】実開昭５７−５９５６７号公報
【発明の概要】
【発明が解決しようとする課題】
【０００４】
特許文献１のスピニングリールの防水装置では、パッキングがリール本体及びロータの一方に接触しているため、パッキングがロータの回転抵抗となる。また、パッキングが磨耗した場合、パッキングを交換する必要がある。
【０００５】
本発明の課題は、ロータの回転抵抗を少なくしつつ、リール本体とロータとの隙間からリール本体の内部構造に水分等が侵入することを抑えることにある。
【課題を解決するための手段】
【０００６】
本発明の一側面に係る釣り用リールは、前方に釣り糸を繰り出し可能な釣り用リールであって、リール本体と、ロータと、シール構造と、を備えている。リール本体は、フランジ部を有している。ロータは、回転軸心を中心にリール本体に対して回転可能である。ロータは、リール本体のフランジ部と隙間を隔てて設けられた開口部を後部に有している。シール構造は、リール本体のフランジ部とロータの開口部との隙間をシールする。シール構造は、ロータに一体回転可能かつリール本体のフランジ部と隙間を隔てて設けられた障壁部材と、第１凸部と、を有している。障壁部材は、フランジ部の前方に配置された壁部を有している。第１凸部は、壁部及びフランジ部の一方から壁部及びフランジ部の他方に向かって突出する。
【０００７】
この釣り用リールでは、障壁部材の壁部及びフランジ部の一方に形成された第１凸部によって、障壁部材とフランジ部との隙間に絞り構造を設けることができる。これにより、リール本体のフランジ部とロータの開口部との隙間からリール本体の内部構造に水分等が侵入することを抑えることができる。また、障壁部材がリール本体のフランジ部と間隔を隔てて設けられているため、障壁部材によってロータの回転抵抗が大きくなることがない。
【０００８】
好ましくは、第１凸部は円環状に形成されている。この場合は、周方向全体にわたってフランジ部とロータとの隙間からリール本体の内部構造に水分等が侵入することを抑えることができる。
【０００９】
好ましくは、シール構造は、第２凸部をさらに有している。第２凸部は、円環状であり、壁部及びフランジ部の他方から壁部及びフランジ部の一方に向かって突出する。第１凸部及び第２凸部は、回転軸心を中心とする同心円状に形成され、回転軸心からの距離が互いに異なる。この場合は、第１凸部及び第２凸部によって、リール本体のフランジ部と障壁部材との隙間に複数の絞りを設けることができる。これにより、リール本体のフランジ部とロータの開口部との隙間からリール本体の内部構造に水分等が侵入することをさらに抑えることができる。
【００１０】
好ましくは、シール構造は、凹部をさらに有している。凹部は、壁部及びフランジ部の他方に設けられ、第１凸部の先端を収容可能である。この場合は、凹部と第１凸部とによって、リール本体のフランジ部と障壁部材との隙間に絞り構造を設けることができるため、リール本体のフランジ部とロータの開口部との隙間からリール本体の内部構造に水分等が侵入することを抑えることができる。
【００１１】
好ましくは、第１凸部は、リール本体のフランジ部の外縁から障壁部材の壁部に向かって突出する。
【００１２】
好ましくは、リール本体のフランジ部及び障壁部材の少なくとも一方は、撥水処理が施されている。この場合は、リール本体のフランジ部とロータの開口部との隙間からリール本体の内部構造に水分等が侵入しづらくなる。
【００１３】
好ましくは、ロータの開口部の内径は、リール本体のフランジ部の外径よりも大きい。この場合は、フランジ部とロータとの隙間が径方向にできるため、フランジ部とロータとの隙間を軸方向に設けた場合と比べて、リール本体の内部構造に水分等が侵入しづらくなる。
【発明の効果】
【００１４】
本発明によれば、ロータの回転抵抗を抑えることができるとともに、リール本体とロータとの隙間からリール本体の内部構造に水分等が侵入することを抑えることができる。
【図面の簡単な説明】
【００１５】
【図１】本発明の一実施形態が採用されたスピニングリールの縦断面図。
【図２】シール構造の拡大図。
【図３】変形例に係る図２に相当する図。
【図４】変形例に係る図２に相当する図。
【図５】他の実施形態に係る図２に相当する図。
【図６】他の実施形態に係る図２に相当する図。
【図７】他の実施形態に係る図２に相当する図。
【発明を実施するための形態】
【００１６】
以下の説明において、釣りを行うときに、釣糸が繰り出される方向を前、その反対方向を後という。また、左右とは、スピニングリール１００（図１参照）を後方から見たときの左右をいう。また、回転軸心Ｏが延びる方向を軸方向という。また、回転軸心Ｏに直交する方向を径方向という。
【００１７】
本発明の一実施形態が採用されたスピニングリール１００は、釣り糸を前方に繰り出し可能である。スピニングリール１００は、釣り用リールの一例である。スピニングリール１００は、図１に示すように、リール本体２と、スプール３と、ロータ４と、シール構造２０と、を備えている。
【００１８】
リール本体２は、リール本体部２ａと、フランジ部２ｂと、円筒部２ｃと、を有している。リール本体部２ａは、内部空間を有しており、ロータ４が駆動されるロータ駆動機構６や、スプール３に釣り糸を均一に巻き付けるためのオシレーティング機構７などが内部空間に収容されている。リール本体２には、ハンドル５が回転可能に装着されている。
【００１９】
フランジ部２ｂは、円形であり、リール本体部２ａの前方で径方向外側に延びて形成されている。フランジ部２ｂは、ロータ４の後述する開口部４ｄとの隙間を小さくするために設けられている。フランジ部２ｂには、撥水処理が施されている。
【００２０】
円筒部２ｃは、フランジ部２ｂの外径よりも小径であり、フランジ部２ｂの前方に形成されている。円筒部２ｃの内部には、ロータ４の逆転を禁止、解除するための逆転防止機構１４や軸受１５などが配置されている。
【００２１】
スプール３は、外周に釣り糸が巻き付けられる部材である。スプール３は、ハンドル５が回転すると、オシレーティング機構７により前後方向に往復移動する。
【００２２】
ロータ４は、スプール３に釣り糸を巻き付けるための部材である。ロータ４は、回転軸心Ｏを中心にリール本体２に対して回転可能である。ロータ４には、ハンドル５の回転がロータ駆動機構６を介して伝達される。
【００２３】
ロータ４は、ロータ本体部４ａと、第１ロータアーム４ｂと、第２ロータアーム４ｃと、開口部４ｄと、を有している。ロータ本体部４ａは、円筒状であり、内周部にリール本体２の円筒部２ｃが配置されている。第１ロータアーム４ｂ及び第２ロータアーム４ｃは、ロータ本体部４ａの径方向外側でロータ本体部４ａを挟んで互いに対向する位置に形成されている。
【００２４】
開口部４ｄは、ロータ本体部４ａの後部に設けられ、軸方向に開放している。この開口部４ｄを介して、リール本体２の円筒部２ｃがロータ本体部４ａの内部に収容される。開口部４ｄは、リール本体２のフランジ部２ｂと隙間を隔てて設けられている。本実施形態では、径方向において、開口部４ｄとリール本体２のフランジ部２ｂとの間に隙間が設けられている。開口部４ｄの内径は、リール本体２のフランジ部２ｂの外径よりも大きい。
【００２５】
シール構造２０は、リール本体２のフランジ部２ｂと、ロータ４の開口部４ｄとの隙間をシールする。シール構造２０は、リール本体２のフランジ部２ｂと、ロータ４の開口部４ｄとの隙間に複数の絞り構造が直列に設けられたラビリンス構造で構成されている。詳細には、シール構造２０は、図２に拡大して示すように、障壁部材２１と、第１凸部２２と、第２凸部２３と、を有している。
【００２６】
障壁部材２１は、ロータ４に一体回転可能かつリール本体２のフランジ部２ｂと隙間を隔てて設けられている。障壁部材２１は、回転軸心Ｏを中心とする概ね円環状の部材である。障壁部材２１には、撥水処理が施されている。障壁部材２１は、固定部２１ａと、延伸部２１ｂと、壁部２１ｃと、を有している。
【００２７】
固定部２１ａは、ロータ４の開口部４ｄの内周部から径方向内側に延びるとともに、周方向に延びている。固定部２１ａには、ねじ部材３１が後方から装着されている。これにより、障壁部材２１がロータ４に一体回転可能に固定されている。
【００２８】
延伸部２１ｂは、固定部２１ａの内縁からロータ４の内周面に沿って前方に延びるとともに、周方向に延びて形成されている。
【００２９】
壁部２１ｃは、延伸部２１ｂの先端から径方向内側に延びるとともに、周方向に延びて形成されている。壁部２１ｃは、リール本体２のフランジ部２ｂの前方に配置されている。また、壁部２１ｃは、リール本体２のフランジ部２ｂに近接して配置されている。壁部２１ｃは、フランジ部２ｂと軸方向に所定の隙間を隔てて、少なくとも一部がフランジ部２ｂと対向するように配置されている。
【００３０】
第１凸部２２は、回転軸心Ｏを中心として円環状に形成されている。第１凸部２２は、壁部２１ｃ及びフランジ部２ｂの一方から壁部２１ｃ及びフランジ部２ｂの他方に向かって突出して設けられている。本実施形態では、第１凸部２２は、フランジ部２ｂに一体的に設けられ、フランジ部２ｂの外縁から壁部２１ｃ向かって軸方向に突出している。
【００３１】
第２凸部２３は、回転軸心Ｏを中心として円環状に形成されている。第２凸部２３は、壁部２１ｃ及びフランジ部２ｂの他方から壁部２１ｃ及びフランジ部２ｂの一方に向かって突出して設けられている。本実施形態では、第２凸部２３は、障壁部材２１に一体的に設けられ、障壁部材２１の壁部２１ｃの内縁からフランジ部２ｂに向かって軸方向に突出している。
【００３２】
第２凸部２３は、第１凸部２２と同心円状に形成されており、回転軸心Ｏからの距離が第１凸部２２と異なっている。本実施形態では、第２凸部２３は、第１凸部２２よりも径方向内側に設けられている。詳細には、第２凸部２３は、第１凸部２２に近接した位置で、径方向において、先端が第１凸部２２と重なり合うように設けられている。
【００３３】
上記構成のシール構造２０は、第１凸部２２及び第２凸部２３によって、リール本体２のフランジ部２ｂと、障壁部材２１の壁部２１ｃと、の隙間に複数の絞り構造が直列に設けられたラビリンス構造で構成されている。これにより、ロータ４の回転抵抗を抑えることができ、しかもリール本体２のフランジ部２ｂとロータ４の開口部４ｄとの隙間からリール本体２の内部構造に水分や異物等が侵入することを抑えることができる。また、リール本体２のフランジ部２ｂ及び障壁部材２１には、撥水処理が施されているため、リール本体２のフランジ部２ｂとロータ４の開口部４ｄとの隙間からリール本体２の内部構造に水分等が侵入しづらい。
【００３４】
＜変形例１＞
図３に示すシール構造１２０は、第１凸部２２を複数設けた実施例である。詳細には、シール構造１２０は、障壁部材１２１と、第１凸部１２２ａと、第１凸部１２２ｂと、第２凸部１２３と、を有している。ここでは、前記実施形態と同様の構成については、説明を省略する。第１凸部１２２ｂは、第１凸部１２２ａ及び第２凸部１２３よりも回転軸心Ｏからの距離が近い位置に設けられている。詳細には、第１凸部１２２ｂは、第１凸部１２２ａ及び第２凸部１２３よりも径方向内側かつ第２凸部１２３に近接して設けられている。第１凸部１２２ｂは、リール本体１０２のフランジ部１０２ｂから障壁部材１２１の壁部１２１ｃに向かって突出している。障壁部材１２１の壁部１２１ｃは、前記実施形態よりも径方向内側に延びて、第１凸部１２２ｂに対向して設けられている。
【００３５】
＜変形例２＞
図４に示すシール構造２２０は、障壁部材２２１と、第１凸部２２２と、凹部２４と、を有している。障壁部材２２１は、図３に示す障壁部材１２１と概ね同様の構成である。第１凸部２２２は、障壁部材２２１の壁部２２１ｃからリール本体２０２のフランジ部２０２ｂに向かって突出している。凹部２４は、リール本体２０２のフランジ部２０２ｂに軸方向に凹んで形成されている。凹部２４は、第１凸部２２２の先端を収容可能である。なお、リール本体２０２のフランジ部２０２ｂに第１凸部２２２を設けて、障壁部材２２１の壁部２２１ｃに凹部２４を設けてもよい。
【００３６】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００３７】
（ａ）前記実施形態では、障壁部材２１の壁部２１ｃに第２凸部２３を設けていたが、第２凸部２３を必ずしも設ける必要はない。例えば、図５に示すシール構造３２０のように、第１凸部３２２のみを設けてもよい。また、第１凸部３２２の位置は、障壁部材３２１の壁部３２１ｃに対向する位置であればよく、図５に示すように、第１凸部３２２をフランジ部３０２ｂの外縁よりも径方向内側の位置に設けてもよい。
【００３８】
また、図６に示すシール構造４２０のように、障壁部材４２１に第１凸部４２２を設けてもよいし、第１凸部４２２をフランジ部４０２ｂ及び壁部４２１ｃの一方に複数設けてもよい。
【００３９】
また、第１凸部及び第２凸部を軸方向に延びるにしたがって回転軸心Ｏから離れる方向に傾斜するように突出させてもよい。
【００４０】
（ｂ）前記変形例１では、第１凸部１２２を複数設けていたが、第２凸部１２３を複数設けてもよいし、第１凸部１２２及び第２凸部１２３をそれぞれ複数設けてもよい。この場合、第１凸部１２２及び第２凸部１２３は、径方向において、交互に重なるように設けることが好ましい。
【００４１】
（ｃ）前記実施形態では、ロータ４に障壁部材２１を取り付けていたが、障壁部材２１をロータ４と一体的に形成してもよい。例えば、図７に示すシール構造５２０のように、障壁部材５２１の壁部５２１ｃをロータ５０４の内周部から径方向内側に延ばし、ロータ５０４と一体的に形成してもよい。
【００４２】
（ｄ）前記実施形態では、第１凸部２２をフランジ部２ｂに一体的に設けていたが、必ずしも第１凸部２２をフランジ部２ｂに一体的に設ける必要はない。例えば、第１凸部２２が金型で抜けない形状の場合は、第１凸部２２を有する別の部材をフランジ部２ｂに固定してもよい。
【００４３】
（ｅ）前記実施形態では、リール本体２のフランジ部２ｂ及び障壁部材２１に撥水処理が施されていたが、リール本体２のフランジ部２ｂ及び障壁部材２１の少なくとも一方に撥水処理が施されていればよい。
【符号の説明】
【００４４】
２，１０２，２０２，３０２，４０２，５０２  リール本体
２ｂ，１０２ｂ，２０２ｂ，３０２ｂ，４０２ｂ，５０２ｂ  フランジ部
４，５０４  ロータ
４ｄ，５０４ｄ  開口部
２０，１２０，２２０，３２０，４２０，５２０  シール構造
２１，１２１，２２１，３２１，４２１，５２１  障壁部材
２１ｃ，１２１ｃ，２２１ｃ，３２１ｃ，４２１ｃ，５２１ｃ  壁部
２２，１２２，２２２，３２２，４２２，５２２  第１凸部
２３，１２３  第２凸部
２４  凹部
１００  スピニングリール（釣り用リールの一例）
【図１】
2019115285.tif 000003
【図２】
2019115285.tif 000004
【図３】
2019115285.tif 000005
【図４】
2019115285.tif 000006
【図５】
2019115285.tif 000007
【図６】
2019115285.tif 000008
【図７】
2019115285.tif 000009